(57)【要約】【課題】本発明は、多様なデータ量を有する高速データ間のインターフェース変換方法及び装置に関する。【解決手段】本発明は、一つの回路を通して高いデータ量を有するデータを多様に収容して選択的にインターフェーシングできるようにすべく、第１通信装置から伝送される複数個のデータそれぞれのタイミング情報を有するスキューチャンネルを生成した後、上記複数個のデータと一緒に第２通信装置に出力するデータ送信部と、上記第２通信装置から伝送される上記スキューチャンネルと上記複数個のデータを比較して、上記複数個のデータそれぞれのスキュー値を測定し、上記スキュー値を用いて上記複数個のデータそれぞれのビット及びバイトを整列した後、上記第１通信装置に伝送するデータ受信部とを含んで構成され、これによって一つのハードウエアを通しても高いデータ量を有するデータを多様に収容して選択的にインターフェーシングできるようにする。【選択図】図３
2008148302.tif 000002
【特許請求の範囲】
【請求項１】
第１通信装置から伝送される複数個のデータそれぞれのタイミング情報を有するスキューチャンネルを生成した後、前記複数個のデータと一緒に第２通信装置に出力するデータ送信部と、
前記第２通信装置から伝送される前記スキューチャンネルと前記複数個のデータを比較して、前記複数個のデータそれぞれのスキュー値を測定し、前記スキュー値を用いて前記複数個のデータそれぞれのビット及びバイトを整列した後、前記第１通信装置に伝送するデータ受信部と
を備えるインターフェース変換装置。
【請求項２】
前記データ送信部は、前記第１通信装置から並列伝送される前記複数個のデータを直列変換した後、前記第２通信装置に出力する複数個の送信部と、
上位モード時には前記複数個のデータそれぞれのタイミングデータを順次に抽出してヘッダーデータと一緒に並列伝送し、下位モード時には待機状態で動作するスキューチャンネル生成制御部と、
前記上位モード時には前記スキューチャンネル生成部から並列伝送される前記ヘッダーデータと前記タイミングデータとを直列変換して前記スキューチャンネルを生成した後、前記第２通信装置に伝送するスキューチャンネル生成部と
を備えることを特徴とする請求項１記載のインターフェース変換装置。
【請求項３】
前記スキューチャンネル生成部は、前記下位モード時には前記スキューチャンネルを生成しなかったりフレーム形式のみを有する前記スキューチャンネルを生成する機能をさらに備えることを特徴とする請求項２記載のインターフェース変換装置。
【請求項４】
前記下位モードは、１つの送信部を通して独立した第１データ容量を有するデータをインターフェーシングするモードであり、
前記上位モードは第１上位モード及び第２上位モードを有し、前記第１上位モードは４つの送信部を通して第２データ容量を有するデータをインターフェーシングするモードであり、
前記第２上位モードは１６の送信部を通して第３データ容量を有するデータをインターフェーシングするモードであり、
前記第１データ容量、前記第２データ容量及び前記第３データ容量の順にデータ容量が増加すること
を特徴とする請求項４記載のインターフェース変換装置。
【請求項５】
前記スキューチャンネル生成制御部は、前記第１上位モード時には前記４つの送信部に並列伝送される４つのデータそれぞれのタイミングデータを順次に抽出した後、前記ヘッダーデータと一緒に並列伝送し、
前記第２上位モード時には前記１６の送信部に伝送される１６のデータそれぞれの前記タイミングデータを順次に抽出した後、前記ヘッダーデータと一緒に並列伝送すること
を特徴とする請求項４記載のインターフェース変換装置。
【請求項６】
前記スキューチャンネル生成部は、前記第１上位モード時には前記ヘッダーデータと前記４つのタイミングデータを直列変換して前記スキューチャンネルを生成し、
前記第２上位モード時には前記ヘッダーデータと前記１６のタイミングデータを直列変換して前記スキューチャンネルを生成すること
を特徴とする請求項４記載のインターフェース変換装置。
【請求項７】
前記データ受信部は、前記第２通信装置から直列伝送される前記複数個のデータを並列変換し、複数個の整列信号に応答して前記並列変換されたデータそれぞれのビット及びバイトを整列する複数個の整列部と、
前記第２通信装置から直列伝送される前記スキューチャンネルを並列変換し、前記スキューチャンネルのヘッダーデータの伝送周期を分析して前記上位モードまたは前記下位モードを設定するスキューチャンネル整列部と、
前記上位モード時には前記並列変換されたスキューチャンネルと前記並列変換されたデータとを順次に比較してスキュー補償情報を有する前記複数個の整列信号を生成するスキュー補償制御部と
を備えることを特徴とする請求項4記載のインターフェース変換装置。
【請求項８】
前記複数個の受信及び整列部それぞれは、前記第２通信装置から直列伝送される前記複数個のデータそれぞれを並列変換する複数個の受信部と、
前記複数個の整列信号によって前記並列変換されたデータそれぞれのビット及びバイトを整列して前記並列変換されたデータそれぞれのスキューを除去した後、前記第１通信装置に出力する複数個のビット及びバイト整列部と
を備えることを特徴とする請求項７記載のインターフェース変換装置。
【請求項９】
前記スキューチャンネル整列部は、前記スキューチャンネルを受信して並列変換するスキューチャンネル受信部と、
前記並列変換されたスキューチャンネルのヘッダーデータを用いて前記並列変換されたスキューチャンネルのビット及びバイトを整列すると同時にインターフェースモードを設定するスキューチャンネルビット及びバイト整列部と
を備えることを特徴とする請求項７記載のインターフェース変換装置。
【請求項１０】
前記スキュー補償制御部は、前記第１上位モード時には前記スキューチャンネルと前記４つのデータとを順次に比較して前記４つの整列信号を生成し、
前記第２上位モード時には前記スキューチャンネルと前記１６のデータとを順次に比較して前記１６の整列信号を生成すること
を特徴とする請求項７記載のインターフェース変換装置。
【請求項１１】
前記下位モードは２．５Ｇ級データをインターフェーシングするモードであり、
前記第１上位モードは１０Ｇ級データをインターフェーシングするモードであり、
前記第２上位モードは４０Ｇ級データをインターフェーシングするモードであること
を特徴とする請求項４記載のインターフェース変換装置。
【請求項１２】
前記下位モードは１０Ｇ級データをインターフェーシングするモードであり、
前記第１上位モードは４０Ｇ級データをインターフェーシングするモードであり、
前記第２上位モードは１６０Ｇ級データをインターフェーシングするモードであること
を特徴とする請求項４記載のインターフェース変換装置。
【請求項１３】
第１データ容量を有するデータが送受信される複数個のチャンネルを通して前記第１データ容量だけでなく第２及び第３データ容量を有するデータも収容する第１通信装置と、
前記第１通信装置から複数個のデータが伝送されれば、スキューチャンネルを生成した後前記複数個のデータと一緒に第２通信装置に出力し、前記第２通信装置からスキューチャンネルと複数個のデータが伝送されれば、前記スキューチャンネルを利用して前記複数個のデータそれぞれのスキューを除去した後、前記第１通信装置に伝送するインターフェース変換装置と
を備えるデジタル通信装置。
【請求項１４】
第１通信装置から伝送される複数個のデータそれぞれのタイミング情報を有するスキューチャンネルを生成した後、前記複数個のデータと一緒に第２通信装置に出力するデータ送信段階と、
前記第２通信装置から伝送される前記スキューチャンネルと前記複数個のデータを比較して、前記複数個のデータそれぞれのスキュー値を測定し、前記スキュー値を用いて前記複数個のデータそれぞれのビット及びバイトを整列した後、前記第１通信装置に伝送するデータ受信段階と
を備えるインターフェース変換方法。
【請求項１５】
前記データ送信段階は、上位モード時には前記複数個のデータそれぞれのタイミングデータを順次に抽出し、下位モード時には前記抽出動作を中止する抽出段階と、
前記上位モード時にはヘッダーデータと前記複数個のデータとを含む前記スキューチャンネルを生成するスキューチャンネル生成した後、前記複数個のデータと一緒に前記第２通信装置に出力する第１出力段階と
を備えることを特徴とする請求項１4記載のインターフェース変換方法。
【請求項１６】
前記データ送信段階は、前記下位モード時には前記複数個のデータのみを前記第２通信装置に出力する第２出力段階をさらに備えることを特徴とする請求項１５記載のインターフェース変換方法。
【請求項１７】
前記データ送信段階は、フレーム形式のみを有する前記スキューチャンネルと前記複数個のデータを前記第２通信装置に出力する第３出力段階をさらに備えることを特徴とする請求項１５記載のインターフェース変換方法。
【請求項１８】
前記下位モードは、１つのチャンネルを通して独立した第１データ容量を有するデータをインターフェーシングするモードであり、
前記上位モードは第１上位モード及び第２上位モードとを有し、前記第１上位モードは４つのチャンネルを通して第２データ容量を有するデータをインターフェーシングするモードであり、
前記第２上位モードは１６のチャンネルを通して第３データ容量を有するデータをインターフェーシングするモードであり、
前記第１データ容量、前記第２データ容量及び前記第３データ容量の順にデータ容量が増加すること
を特徴とする請求項１５記載のインターフェース変換方法。
【請求項１９】
前記抽出段階は、前記第１上位モード時には前記４つのデータから前記タイミングデータを抽出し、前記第２上位モード時には前記１６のデータから前記タイミングデータを抽出することを特徴とする請求項１８記載のインターフェース変換方法。
【請求項２０】
前記スキューチャンネル生成段階は、前記第１上位モード時には前記ヘッダーデータと前記４つのタイミングデータとを直列変換して前記スキューチャンネルを生成し、前記第２上位モード時には前記ヘッダーデータと前記１６のタイミングデータとを直列変換して前記スキューチャンネルを生成することを特徴とする請求項１８記載のインターフェース変換方法。
【請求項２１】
前記データ受信段階は、前記第２通信装置から伝送される前記複数個のデータ及び前記スキューチャンネルを受信し、前記スキューチャンネルのヘッダーデータの伝送周期を分析してインターフェースモードを設定するモード設定段階と、
前記上位モード時には前記スキューチャンネルと前記受信されたデータとを順次に比較してスキュー補償情報を有する前記複数個の整列信号を生成する整列信号生成段階と、
前記複数個の整列信号それぞれに応答して前記受信されたデータそれぞれのビット及びバイトを整列する整列段階と
を備えることを特徴とする請求項１８記載のインターフェース変換方法。
【請求項２２】
前記整列信号生成段階は、前記第１上位モード時には前記スキューチャンネルと前記４つのデータを順次に比較してスキュー補償情報を有する前記４つの整列信号を生成し、前記第２上位モード時には前記スキューチャンネルと前記１６のデータとを順次に比較してスキュー補償情報を有する前記１６の整列信号を生成することを特徴とする請求項２１記載のインターフェース変換方法。
【請求項２３】
前記下位モードは２．５Ｇ級データをインターフェーシングするモードであり、
前記第１上位モードは１０Ｇ級データをインターフェーシングするモードであり、
前記第２上位モードは４０Ｇ級データをインターフェーシングするモードであること
を特徴とする請求項１８記載のインターフェース変換方法。
【請求項２４】
前記下位モードは１０Ｇ級データをインターフェーシングするモードであり、
前記第１上位モードは４０Ｇ級データをインターフェーシングするモードであり、
前記第２上位モードは１６０Ｇ級データをインターフェーシングするモードであること
を特徴とする請求項１８記載のインターフェース変換方法。
【発明の詳細な説明】
【技術分野】
【０００１】
本発明は、インターフェース変換装置に関し、特にギガ（ＧＩＧＡ）バイト級以上の多様な高速データを全て収容して、選択的にインターフェーシングできるようにする、多様なデータ量を有する高速データ間のインターフェース変換方法及び装置に関するものである。
【背景技術】
【０００２】
現在のネットワーク通信技術が次第に発達するにつれ低いデータ量を有するデータのみならず、より高いデータ量を有するデータもネットワーク網を通して送受信できるようになった。それ故にフレーマのような通信装置は低いデータ量のみならず高いデータ量を有する多様なデータも一緒に収容し、これを処理できなければならない。
【０００３】
図１は従来の技術による４０Ｇ級データインターフェース機能を支援するデジタル通信装置の構成図を示す図であり、図１におけるデジタル通信装置はＳＴＭ−２５６／ＯＴＵ３フレーマ１０、１つの４０Ｇ級光伝送器１０１、３つの１０Ｇ級光伝送器１０２〜１０４、４つの２．５Ｇ級光伝送器１０５〜１０８とを備える。
【０００４】
ＳＴＭ−２５６／ＯＴＵ３フレーマ１０は、多様なデータ量を有する高速データ、即ち、ＳＴＭ−１６／ＯＴＵ１データ（以下、２．５Ｇ級データと称する）と、ＳＴＭ−６４／ＯＴＵ２データ（以下、１０Ｇ級データと称する）、及びＳＴＭ−２５６／ＯＴＵ３データ（以下、４０Ｇ級データと称する）とを収容しＳＴＭ−２５６／ＯＴＵ３フレーム（以下、４０Ｇ級フレームと称する）に変換したり再生し、その逆過程を行う。
【０００５】
４０Ｇ級光伝送器１０１は、ＳＴＭ−２５６／ＯＴＵ３フレーマ１０から伝送される４０Ｇ級データを光信号に変換してネットワーク網に出力したり、ネットワーク網から伝送される光信号を４０Ｇ級データに変換してＳＴＭ−２５６／ＯＴＵ３フレーマ１０に伝送する。
【０００６】
１０Ｇ級光伝送器１０２〜１０４それぞれはＳＴＭ−２５６／ＯＴＵ３フレーマ１０から伝送される。１０Ｇ級データを光信号に変換してネットワーク網に出力したり、ネットワーク網から伝送される光信号を１０Ｇ級データに変換してＳＴＭ−２５６／ＯＴＵ３フレーマ１０に伝送する。
【０００７】
２．５Ｇ級光伝送器１０５〜１０８のそれぞれは、ＳＴＭ−２５６／ＯＴＵ３フレーマ１０から伝送される２．５Ｇ級データを光信号に変換してネットワーク網に出力したり、ネットワーク網から伝送される光信号を２．５Ｇ級データでＳＴＭ−２５６／ＯＴＵ３フレーマ１０に伝送する。
【０００８】
かかる従来のフレーマ１０は４０Ｇ級データ、１０Ｇ級データ及び２．５Ｇ級データ全てを収容して４０Ｇ級フレームに変換したり、４０Ｇ級フレームを４０Ｇ級データ、１０Ｇ級データ及び２．５Ｇ級データのうち一つに逆変換した後該光伝送器に伝送する動作を行っていた。
【０００９】
しかし、従来のフレーマは上記のように４０Ｇ級データ、１０Ｇ級データ及び ２．５Ｇ級データ全てを収容するためには、４０Ｇ級データ、１０Ｇ級データ及び２．５Ｇ級データそれぞれに対するインターフェース手段及びチャンネルのみならず、これらの動作を支援するための回路も別途具備しなければならない。そのため従来のフレーマ１０は、事実上収容しようとする高速データの種類を決めた後、それによる回路を別途設計せざるを得ない。
【００１０】
従って、従来のフレーマは４０Ｇ級データを生成することは同じであっても、収容するデータの種類によってそれぞれに対する回路を選択しそれぞれのインターフェースモジュールを設計して使用しなければならない問題があった。
【発明の開示】
【発明が解決しようとする課題】
【００１１】
上記のような問題点を解決するための本発明の目的は、一つの回路を通して高いデータ量を有するデータを多様に収容し、選択的にインターフェーシングできるようにする多様なデータ量を有する高速データ間のインターフェース変換方法及び装置を提供することである。
【課題を解決するための手段】
【００１２】
上記のような本発明の目的を達成するために、本発明のインターフェース変換装置は、第１通信装置から伝送される複数個のデータそれぞれのタイミング情報を有するスキューチャンネルを生成した後、上記複数個のデータと一緒に第２通信装置に出力するデータ送信部と、上記第２通信装置から伝送される上記スキューチャンネルと上記複数個のデータとを比較して上記複数個のデータそれぞれのスキュー値を測定し、上記スキュー値を用いて上記複数個のデータそれぞれのビット及びバイトを整列した後、上記第１通信装置に伝送するデータ受信部とを備える。
【００１３】
上記のような本発明の目的を達成するために、本発明のデジタル通信装置は第１データ容量を有するデータが送受信される複数個のチャンネルを通して上記第１データ容量だけでなく第２及び第３データ容量を有するデータも収容する第１通信装置と、上記第１通信装置から複数個のデータが伝送されればスキューチャンネルを生成した後、上記複数個のデータと一緒に第２通信装置に出力し、上記第２通信装置からスキューチャンネルと複数個のデータとが伝送されれば、上記スキューチャンネルを利用して上記複数個のデータそれぞれのスキューを除去した後上記第１通信装置に伝送するインターフェース変換装置を備える。
【００１４】
上記のような本発明の目的を達成するために、本発明のインターフェース変換方法は第１通信装置から伝送される複数個のデータそれぞれのタイミング情報を有するスキューチャンネルを生成した後、上記複数個のデータと一緒に第２通信装置に出力するデータ送信段階と、上記第２通信装置から伝送される上記スキューチャンネルと上記複数個のデータを比較して上記複数個のデータそれぞれのスキュー値を測定し、上記スキュー値を用いて上記複数個のデータそれぞれのビット及びバイトを整列した後、上記第１通信装置に伝送するデータ受信段階とを備える。
【発明の効果】
【００１５】
このように本発明の多様なデータ量を有する高速データ間のインターフェース変換方法及び装置は、一つの回路を通して高いデータ量を有するデータを多様に収容し選択的にインターフェーシングする。従って、本発明のインターフェース変換装置を利用する通信装置は相対的に低容量を有するデータを収容するためのインターフェース及びチャンネル、そしてこれに対応される回路のみを備えながらも多様なデータ量を有するデータの全てに対する作業を安定的に行うことができるようにする。
【発明を実施するための最良の形態】
【００１６】
以下、添付された図面を参照して、本発明が属する技術分野において通常の知識を有する者が本発明を容易に実施することができる好ましい実施例を詳しく説明する。但し、本発明の好ましい実施例に対する動作原理を詳しく説明することにあたって、係る公知機能または構成に対する具体的な説明が本発明の要旨を不要に曇らせる恐れがあると判断される場合にはその詳細な説明を省略する。
【００１７】
また、図面全体に亘って類似する機能及び作用をする部分に対しては同図面符号を付す。
【００１８】
図２は本発明の一実施例による４０Ｇ級データインターフェース機能を支援するデジタル通信装置の構成図である。
【００１９】
次いで、図２を参照すれば、本発明のデジタル通信装置はＳＴＭ−２５６／ＯＴＵ３フレーマ１００、インターフェース変換装置２００、１つの４０Ｇ級光伝送器３０１、４つの１０Ｇ級光伝送器３０２〜３０５及び１６の２．５Ｇ級光伝送器３０６〜３２２とで構成される。
【００２０】
このとき、図２では未図示されたが、図２のインターフェース変換装置２００はスキューチャンネルを送受信すべきさらに他のインターフェース変換装置２００をさらに備えなければならないが、本発明で提案するインターフェース変換動作を実際に行うことができる。従って、以下では容易な説明のために図２で示されたデジタル通信装置内に備えられ、インターフェース変換装置２００と繋がったＳＴＭ−２５６／ＯＴＵ３フレーマ１００は第１通信装置と称し、図では図示しないが、図２のインターフェース変換装置２００と同じ動作を行うインターフェース変換装置を含む４０Ｇ級光伝送器３０１、１０Ｇ級光伝送器３０２〜３０５または２．５Ｇ級光伝送器３０６〜３２２とを第２通信装置と称する。
【００２１】
ＳＴＭ−２５６／ＯＴＵ３フレーマ１００は、２．５Ｇ級データが送受信される１６のチャンネルを通して１６の２．５Ｇ級データと、４つの１０Ｇ級データと、或は１つの４０Ｇ級データを収容して４０Ｇ級フレームに変換したり、再生し、その逆過程を行う。この時の２．５Ｇ級データは１つのチャンネルを通して独立的に送受信され、１０Ｇ級データは４つのチャンネルを通して送受信され、４０Ｇ級データは１６のチャンネルを通して送受信される。
【００２２】
インターフェース変換装置２００は、ＳＴＭ−２５６／ＯＴＵ３フレーマ１００、即ち、第１通信装置と第２通信装置３０１〜３０５の間に送受信されるデータの種類を感知してインターフェースモードを決定し、決定されたインターフェースモードにより１つのチャンネルを通して独立した２．５Ｇデータをインターフェーシングしたり、４つのチャンネルを通して１つの１０Ｇ級データをインターフェーシングしたり、１６のチャンネルを通して１つの４０Ｇ級データをインターフェーシングする。このためにインターフェース変換装置２００が第２通信装置からスキューチャンネルと複数個のデータの伝送を受ければ、スキューチャンネルを利用して現在のインターフェースモードを感知及び設定すると同時に複数個のデータそれぞれのスキューを除去した後、ＳＴＭ−２５６／ＯＴＵ３フレーマ１００に伝送し、ＳＴＭ−２５６／ＯＴＵ３フレーマ１００から複数個のデータが伝送されれば、現在のインターフェースモードに対応されるスキューチャンネルを生成し、複数個のデータと一緒に第２通信装置に伝送する。
【００２３】
ここで、インターフェースモードは２．５Ｇモードと、１０Ｇモード及び４０Ｇモードとを含み、２．５Ｇモードは１つのチャンネルを通して２．５Ｇ級データをインターフェーシングするモードであり、１０Ｇモードは４つのチャンネルを通して１０Ｇ級データをインターフェーシングするモードであり、４０Ｇモードは１６のチャンネルを通して４０Ｇ級データをインターフェーシングするモードである。
【００２４】
これにより、本発明のＳＴＭ−２５６／ＯＴＵ３フレーマ１００は１６の２．５Ｇ級データを送受信するためのインターフェース及びチャンネルと、これを処理するための回路のみを備えながらも従来と同様に２．５Ｇ級データのみならず１０Ｇ級データ及び４０Ｇ級データを同時に収容し、かつ処理できるようになることである。
【００２５】
４０Ｇ級光伝送器３０１は、インターフェース変換装置２００から伝送される１６のチャンネルを通した４０Ｇ級データをスキューチャンネルを利用してそれぞれのスキューを除去した４０Ｇ級データを生成した後、光信号に変換してネットワーク網に出力したり、ネットワーク網から伝送される光信号を４０Ｇ級データに光電変換して１６のチャンネルのデータに分離した後、伝送する１６のデータそれぞれのタイミング情報を有するスキューチャンネルを生成し上記１６のデータと一緒にインターフェース変換装置２００に伝送する。
【００２６】
１０Ｇ級光伝送器３０２〜３０５それぞれはインターフェース変換装置２００から伝送される４つのチャンネルを通した１０Ｇ級データをスキューチャンネルを利用してそれぞれのスキューを除去した１０Ｇ級データを生成した後、光信号に変換してネットワーク網に伝送したり、ネットワーク網から伝送される光信号を１０Ｇ級データに光電変換して４つのチャンネルのデータに分離した後、伝送する４つのデータそれぞれのタイミング情報を有するスキューチャンネルを生成し上記４つのデータと一緒にインターフェース変換装置２００に伝送する。
【００２７】
２．５Ｇ級光伝送器３０６〜３２２のそれぞれは、インターフェース変換装置２００から伝送される２．５Ｇ級データを光信号に変換してネットワーク網に伝送したり、ネットワーク網から伝送される光信号を２．５Ｇ級データに変換してインターフェース変換装置２００に伝送する。
【００２８】
図３は本発明の一実施例によるインターフェース変換装置２００の詳細構成図である。
【００２９】
図３を参照すれば、インターフェース変換装置２００は、データ送信部４００とデータ受信部５００とで構成され、データ送信部４００は１６の送信ＥＲＤＥＳ（ｓｅｒｉａｌｉｚｅｒ／ｄｅｓｅｒｉａｌｉｚｅｒ）４０１〜４１６と、４つのスキューチャンネル生成ＳＥＲＤＥＳ４１７〜４２０及びスキューチャンネル生成制御部４２１とを備えており、データ受信部５００は１６の受信ＳＥＲＤＥＳ５０１〜５１６、１６のビット及びバイト整列部５１７〜５３２、４つのスキューチャンネル獲得ＳＥＲＤＥＳ５３３〜５３６、４つのスキューチャンネルビット及びバイト整列部５３７〜５４０、及びスキュー補償制御部５４１とで構成される。
【００３０】
好ましく、図３における複数個の送信及び受信チャンネルは４０Ｇ級光伝送器３０１、１０Ｇ級光伝送器３０２〜３０５、及び２．５Ｇ級光伝送器３０６〜３２２とに共通して連結可能である。
【００３１】
１６の送信ＳＥＲＤＥＳ４０１〜４１６それぞれは１６の送信チャンネル（ＣＨ０〜ＣＨ１５）それぞれに対応されＳＴＭ−２５６／ＯＴＵ３フレーマ１００から並列伝送されるデータを直列変換する直列器（Ｓｅｒｉａｌｌｚｅｒ）と直列変換されたデータを該送信チャンネルに出力するドライバー（Ｄｒｉｖｅｒ）とを備える。これによって、２．５Ｇモード時には１つの送信ＳＥＲＤＥＳ４０１を通して独立した２．５Ｇ級データを、１０Ｇモード時には４つの送信ＳＥＲＤＥＳ４０１〜４０４を通して一つの１０Ｇ級データを、４０Ｇモード時には１６の送信ＳＥＲＤＥＳ４０１〜４１６を通して一つの４０Ｇ級データを直列データ形態にそれぞれ出力する。
【００３２】
４つのスキューチャンネル生成ＳＥＲＤＥＳ４１７〜４２０それぞれは、４つの送信ＳＥＲＤＥＳ４０１〜４０４，４０５〜４０８，４０９〜４１２，４１３〜４１６毎に一つずつ割り当てられたスキューチャンネル生成制御部４２１から提供されるヘッダーデータとタイミングデータを直列変換してスキューチャンネルを生成する直列器（Ｓｅｒｉａｌｌｚｅｒ）とスキューチャンネルを該送信チャンネルに出力するドライバー（Ｄｒｉｖｅｒ）とを備える。ここで１０Ｇモード時に４つのスキューチャンネル生成ＳＥＲＤＥＳ４１７〜４２０それぞれを通してスキューチャンネル生成制御部４２１から提供されるヘッダーデータとタイミングデータを直列変換して１０Ｇモード動作を支援するためのスキューチャンネルを生成し、４０Ｇモード時には一つのスキューチャンネル生成ＳＥＲＤＥＳ（例えば、第３スキューチャンネル生成ＳＥＲＤＥＳ４２０を通して４０Ｇモード動作を支援するためのスキューチャンネルを生成する。
【００３３】
スキューチャンネル生成制御部４２１はモード制御信号（ｍｃｔｒｌ）によりインターフェースモードを決定する。そして１０Ｇ及び４０Ｇモード時には４つまたは１６の送信ＳＥＲＤＥＳ４０１〜４０４，４０１〜４１６で同時伝送される４つまたは１６のデータを定められたタイミングによって順次に抽出した後ヘッダーデータと一緒に該スキューチャンネル生成ＳＥＲＤＥＳに伝送する。この時ヘッダーデータはスキューチャンネルのフレームスタート情報を有するデータである。
【００３４】
一方、２．５Ｇモード時には複数個の送信ＳＥＲＤＥＳ４０１〜４１６のそれぞれが独立した２．５Ｇ級データを伝送してチャンネルそれぞれのスキューを補償する必要がないので、上記の抽出動作を中止し、スキューチャンネル生成ＳＥＲＤＥＳ４１７〜４２０がスキューチャンネルを生成しなかったり、フレーム形式のみを有するスキューチャンネルを生成するようにする。
【００３５】
１６の受信ＳＥＲＤＥＳ５０１〜５１６のそれぞれは１６の受信チャンネル（ＣＨ０〜ＣＨ１５）それぞれに対応され、該受信チャンネルを通して伝送される直列データを受信してデータ及びクロックを復元するレシーバー（Ｒｅｃｅｉｖｅｒ）と、復元した直列データを並列変換する並列器（Ｄｅｓｅｒｉａｌｌｚｅｒ）を備える。従って、２．５Ｇモード時には１つのＳＥＲＤＥＳ５０１を通して独立した２．５Ｇ級データを、１０Ｇ モード時には４つの受信ＳＥＲＤＥＳ５０１〜５０４を通して一つの１０Ｇ級データを、４０Ｇモード時には１６の受信ＳＥＲＤＥＳ５０１〜５１６を通して一つの４０Ｇ級データを受信して並列変換する。
【００３６】
１６のビット及びバイト整列部５１７〜５３２のそれぞれは、１６の受信ＳＥＲＤＥＳ５０１〜５１６のそれぞれに対応され、整列信号を利用して対応される受信ＳＥＲＤＥＳから伝送されるデータのビット及びバイトを整列する。従って、４つまたは１６の受信ＳＥＲＤＥＳ５０１〜５０４，５０１〜５１６を通して一つの１０Ｇ級データまたは４０Ｇ級データを受信しても複数個のデータは同じタイミングを有して出力される。即ち、複数個チャンネルそれぞれのスキューを除去した複数個のデータを出力する。
【００３７】
４つのスキューチャンネル獲得ＳＥＲＤＥＳ５３３〜５３６のそれぞれは、４つの受信ＳＥＲＤＥＳ５０１〜５０４，５０５〜５０８，５０９〜５１２，５１３〜５１６毎に一つずつ割り当てられる。そして該受信チャンネルを通して伝送されるスキューチャンネルを受信しデータ及びクロックを復元するレシーバー（Ｒｅｃｅｉｖｅｒ）と復元したスキューチャンネルのデータを並列変換する並列器（Ｄｅｓｅｒｉａｌｌｚｅｒ）とを備え、スキューチャンネルを受信して並列変換する。
【００３８】
４つのスキューチャンネルビット及びバイト整列部５３７〜５４０のそれぞれは、４つのスキューチャンネル獲得ＳＥＲＤＥＳ５３３〜５３６のそれぞれに対応される。そして対応されるスキューチャンネル獲得ＳＥＲＤＥＳからスキューチャンネルが伝送されれば、ヘッダーデータを利用してビット及びバイトを整列した後スキュー補償制御部５４１に提供する。
【００３９】
この際、４つのスキューチャンネルビット及びバイト整列部のうち一つ（例えば、第３スキューチャンネルビット及びバイト整列部５４０）は、現在のインターフェース変換装置２００のインターフェースモードを設定し、これをスキューチャンネル生成制御部４２１及びスキュー補償制御部５４１に知らせる動作をさらに行うようにする。即ち、第３スキューチャンネルビット及びバイト整列部５４０は第３スキューチャンネル（ＤＳ ＣＨ［３］）が未受信されたり、フレーム形式のみを有するスキューチャンネルが伝送される場合には２．５Ｇモードを、１０Ｇモード時に生成されるスキューチャンネルと同じフレーム周期を有するスキューチャンネルが伝送される場合には１０Ｇモードを、及び４０Ｇモード時に生成されるスキューチャンネルと同じフレーム周期を有するスキューチャンネルが伝送される場合には４０Ｇモードを現在のインターフェースモードにそれぞれ設定する。またフレーム周期が３回以上不一致されると現在の動作状態がＯｕｔ Ｏｆ Ｆｒａｍｅ（ＯＯＦ）状態と判断し、２．５Ｇモードを現在のインターフェースモードに設定する。
【００４０】
スキュー補償制御部５４１は、１０Ｇモード及び４０Ｇモード時には対応されるスキューチャンネルビット及びバイト整列部と、ビット及びバイト整列部間のデータを比較して複数個のデータそれぞれのスキュー値を測定する。そして測定結果を反映した４つまたは１６の整列信号を生成し４つまたは１６のビット及びバイト整列部にそれぞれ提供する。
【００４１】
上記の説明では、４つのスキューチャンネルビット及びバイト整列部のうち１つを利用してインターフェースモードの感知及び設定を行うようにしたが、必要に応じてはスキュー補償制御部５４１が上記の機能を行うようにすることができることはもちろん当然である。
【００４２】
図４ａは本発明の一実施例による１０Ｇモードのためのスキューチャンネルの生成方法を説明するためのタイミング図であり、図４ｂは４０Ｇモードのためのスキューチャンネルの生成方法を説明するためのタイミング図である。
【００４３】
先ず、図４ａを参照して１０Ｇモードのための第０スキューチャンネル（ＤＳ ＣＨ［０］）の生成部方法を説明すれば次の通りである。
【００４４】
１０Ｇモード時には第０乃至第３送信ＳＥＲＤＥＳ４０１〜４０４を通して一つの１０Ｇ級データのために第０乃至第３データ（ＤＡＴＡ［０］〜ＤＡＴＡ［３］）が同時に第０乃至第３送信ＳＥＲＤＥＳ４０１〜４０４に入力される。
【００４５】
スキューチャンネル生成制御部４２１は、定められたタイミングによって第０乃至第３データ（ＤＡＴＡ［０］〜ＤＡＴＡ［３］）の２バイトずつ順次に獲得した後、ヘッダーデータ（Ｈｅａｄｅｒ）と一緒に第０スキューチャンネル生成ＳＥＲＤＥＳ４１７に並列伝送する。
【００４６】
第０スキューチャンネル生成ＳＥＲＤＥＳ４１７はこれらを直列変換し、ヘッダーデータ（Ｈｅａｄｅｒ）と、“Ｂｙｔｅ１５．２，１５．3，１４．４，１４．５，．．．，１２．８，１２．９”のデータ順番を有するデータとで構成される第０スキューチャンネル（ＤＳ ＣＨ［０］）を生成する。
【００４７】
上記のような動作は、他のチャンネル（ＣＨ［４］〜ＣＨ［１５］）に対しても同様に行われる。従って、残り第１乃至第３スキューチャンネル生成ＳＥＲＤＥＳ４１８〜４２０も自己が対応される４つの送信ＳＥＲＤＥＳ４０５〜４０８，４０９〜４１２，４１３〜４１６に伝送されたデータ（ＤＡＴＡ［４］〜ＤＡＴＡ［７］，ＤＡＴＡ［８］〜ＤＡＴＡ［１１］，ＤＡＴＡ［１２］〜ＤＡＴＡ［１５］）を利用して第１乃至第３スキューチャンネル（ＤＳ ＣＨ［１］〜ＤＳ ＣＨ［３］）を生成する。
【００４８】
次いで、図４ｂを参照して４０Ｇモードのための第３スキューチャンネル（ＤＳ ＣＨ［３］）の生成方法を説明すれば次の通りである。
【００４９】
４０Ｇモード時には１６の送信ＳＥＲＤＥＳ４０１〜４１６を通して一つの ４０Ｇ級データを伝送するため１６の並列データ（ＤＡＴＡ［０］〜ＤＡＴＡ［１５］）が同時に１６の送信ＳＥＲＤＥＳ４０１〜４１６に入力される。
【００５０】
スキューチャンネル生成制御部４２１は、図４ａと同じ方法で定められたタイミングによって第０乃至第１５データ（ＤＡＴＡ［０］〜ＤＡＴＡ［１５］）の２バイトずつ順次に獲得した後、ヘッダーデータ（Ｈｅａｄｅｒ）と一緒に第３スキューチャンネル生成ＳＥＲＤＥＳ４１７に並列伝送する。
【００５１】
第３スキューチャンネル生成ＳＥＲＤＥＳ４２０はこれらを直列変換し、ヘッダーデータ（Ｈｅａｄｅｒ）と、“Ｂｙｔｅ１５．２，１５．3，１４．４，１４．５，．．． ，１．３１，０．３２，０．３３”のデータ順番を有するデータで構成される第３スキューチャンネル（ＤＳ ＣＨ［３］）を生成する。
【００５２】
図５ａは本発明の一実施例による１０Ｇモードのための整列信号の生成方法を説明するためのタイミング図であり、図５ｂは４０Ｇモードのための整列信号の生成方法を説明するためのタイミング図である。
【００５３】
先ず、図５ａを参照して、１０Ｇモードのための第０乃至第３整列信号（Ａｌｉｇｎｍｅｎｔ ｔｉｍｉｎｇ ｏｆ Ｄａｔａ［０］〜Ｄａｔａ［３］）の生成方法を説明すれば次の通りである。
【００５４】
１０Ｇモード時には第０スキューチャンネル獲得ＳＥＲＤＥＳ５３３を通して第０スキューチャンネル（ＤＳ  ＣＨ［０］）が入力され、第０乃至第３受信ＳＥＲＤＥＳ５０１〜５０４を通して第０乃至第３直列データが伝送される。
【００５５】
第０スキューチャンネル獲得ＳＥＲＤＥＳ５３３及び第０スキューチャンネルビット及びバイト整列部５３７は、ヘッダーデータ（Ｈｅａｄｅｒ）と、“Ｂｙｔｅ１５．２，１５．3，１４．４，１４．５，．．．，１２．８，１２．９”のデータ順番を有するデータを並列に出力し、第０乃至第３受信ＳＥＲＤＥＳ５０１〜５０４のそれぞれは、上記の図４ａの第０乃至第３データ（ＤＡＴＡ［０］〜ＤＡＴＡ［３］）と同じデータ順番を有するデータを並列に出力する。
【００５６】
スキュー補償制御部５４１は、定められたタイミングによって第０スキューチャンネル（ＤＳ ＣＨ［０］）のデータと第０乃至第３データ（ＤＡＴＡ［０］〜ＤＡＴＡ［３］）の２バイトずつ順次に比較してスキュー発生可否を確認する。そして比較結果を反映する第０乃至第３の整列信号（Ａｌｉｇｎｍｅｎｔ Ｔｉｍｉｎｇ ｏｆ Ｄａｔａ［０］〜 Ｄａｔａ［３］）を生成する。
【００５７】
この時の整列信号（Ａｌｉｇｎｍｅｎｔ Ｔｉｍｉｎｇ）は、対応されるスキューチャンネルのデータと受信チャンネルのデータが一致すれば低レベルを有し、不一致すれば高レベルを有するようにする。従って、第０乃至第３ビット及びバイト整列部５１７〜５２０は第０乃至第３整列信号の下降エッジに入力されたデータを同期化させることによって、第０乃至第３データのビット及びバイトを整列させることができる。
【００５８】
残り第４乃至第１５整列信号（Ａｌｉｇｎｍｅｎｔ ｔｉｍｉｎｇ ｏｆ Ｄａｔａ［４］〜Ｄａｔａ［１５］）も上記と同じ過程を通して生成されるようにし、これに対する詳細な説明は省略する。
【００５９】
次いで、図５ｂを参照して４０Ｇモードのための第３スキューチャンネル（ＤＳ ＣＨ［３］）の生成方法を説明すれば次の通りである。
【００６０】
４０Ｇモード時には第３スキューチャンネル獲得ＳＥＲＤＥＳ５３６（図示せず）を通して第０スキューチャンネル（ＤＳ ＣＨ［３］）が入力され、第０乃至第１５受信ＳＥＲＤＥＳ５０１〜５１６を通して第０乃至第１５直列データが伝送される。
【００６１】
第３スキューチャンネル獲得ＳＥＲＤＥＳ５３６及び第３スキューチャンネルビット及びバイト整列部５４０は、ヘッダーデータ（Ｈｅａｄｅｒ）と“Ｂｙｔｅ１５．２，１５．3，１４．４，１４．５，．．． ，１．３１，０．３２，０．３３”のデータ順番を有するデータを並列に出力し、第０乃至第１５受信ＳＥＲＤＥＳ５０１〜５０４のそれぞれは上記の図４ｂの第０乃至第１５データ（ＤＡＴＡ［０］〜ＤＡＴＡ［１５］）と同じデータ順番を有するデータを並列に出力する。
【００６２】
スキュー補償制御部５４１は、図５ａと同じく定められたタイミングによって第３スキューチャンネル（ＤＳ ＣＨ［３］）のデータと第０乃至第１５データ（ＤＡＴＡ［０］〜ＤＡＴＡ［１５］）の２バイトずつ順次に比較して、スキュー発生可否を確認する。そして比較結果を反映する第０乃至第１５の整列信号（Ａｌｉｇｎｍｅｎｔ Ｔｉｍｉｎｇ ｏｆ Ｄａｔａ［０］〜 Ｄａｔａ［１５］）を生成する。
【００６３】
従って、第０乃至第１５ビット及びバイト整列部５１７〜５３２は、第０乃至第１５整列信号の下降エッジに入力されたデータを同期化させることによって、第０乃至第１５データのビット及びバイトを整列させることができる。
【００６４】
図６は本発明の一実施例によるインターフェース変換動作を説明するためのフローチャット図である。
【００６５】
外部から所定個のチャンネルを通して所定個の信号と一緒にスキューチャンネルが入力されれば、インターフェース変換装置はスキューチャンネルのヘッダーデータを検出してスキューチャンネルのフレーム周期を獲得する（Ｓ１）。
【００６６】
段階Ｓ１でスキューチャンネルのフレーム周期が獲得されなければ、スキューチャンネルを生成しなかったりフレーム形式のみを有するスキューチャンネルが生成される２．５Ｇモードであることを確認し、２．５Ｇモードをインターフェースモードに設定する（Ｓ２）。２．５Ｇモード時には上記に説明されたように別途のスキュー補償動作が不要なために入力された信号に対するスキュー補償動作を行わない。
【００６７】
段階Ｓ１を通して獲得されたフレーム周期が１０Ｇモード時に生成されるスキューチャンネルのフレーム周期と同じであれば（Ｓ３）、外部から１０Ｇ級データが伝送されていると判断し、１０Ｇモードをインターフェースモードに設定する（Ｓ４）。
【００６８】
これにより、インターフェース変換装置はスキュー補償動作を行って所定個、即ち、４つのチャンネルを通して入力された信号のビット及びバイトを整列し４つの信号を同期化させた後、１つの１０Ｇ級データとして出力する。
【００６９】
従って、インターフェース変換装置は、スキューチャンネルを利用して４つの整列信号を生成し、これらを利用して入力された所定個、即ち、４つのチャンネルを通して入力されたデータのビット及びバイトを整列し４つのデータを同期化させた後、１つの１０Ｇ級データとしてＳＴＭ−２５６／ＯＴＵ３フレーマ１００に提供する（Ｓ５）。
【００７０】
そして段階Ｓ１を通して獲得されたフレーム周期が４０Ｇモード時に生成されるスキューチャンネルのフレーム周期と同じであれば（Ｓ６）、外部から４０Ｇ級データが伝送されていると判断し、４０Ｇモードをインターフェースモードに設定する（Ｓ７）。
【００７１】
インターフェース変換装置は、再び段階Ｓ５に進入してスキュー補償動作を行って所定個、即ち、１６のチャンネルを通して入力されたデータのビット及びバイトを整列し１６のデータを同期化させた後、１つの４０Ｇ級データとして出力する（Ｓ５）。
【００７２】
一方、段階Ｓ１を通して獲得されたフレーム周期が現在に設定されたインターフェースモードと３回以上不一致されればＯＯＦ状態であることを確認し、２．５Ｇモードをインターフェースモードに設定する（Ｓ８）。
【００７３】
上記の説明ではインターフェース変換装置が２．５Ｇ級データ、１０Ｇ級データ及び４０Ｇ級データのみを選択的にインターフェースするようにしたが、必要に応じてはＳＥＲＤＥＳのデータ容量を可変することで、相違するデータ量を有する多様なデータ間のインターフェース動作も支援することができることはもちろん当然である。
【００７４】
例えば、２．５級ＳＥＲＤＥＳを１０級ＳＥＲＤＥＳに入れ替えて１０Ｇ級データ、４０Ｇ級データ及び１６０Ｇ級データを選択的にインターフェースすることができる。
【００７５】
また上記の説明では容易な説明のためにインターフェース変換装置を利用する通信装置にＳＴＭ−２５６／ＯＴＵ３フレーマを採択したが、実際の作業環境下では相違するデータ量を有する多様なデータを多様に収容し、これを利用した作業を行う全ての種類の通信装置を適用することがきる。
【００７６】
以上で説明した本発明は、上述した実施例及び添付された図面によって限定されることではなく、本発明の技術的思想を外れない範囲内で多様に置換、変形及び変更できることは、本発明が属する技術分野において通常の知識を有する当業者にとって明白である。
【図面の簡単な説明】
【００７７】
【図１】従来の技術による４０Ｇ級データインターフェース機能を支援するデジタル通信装置の構成図である。
【図２】本発明の一実施例による４０Ｇ級データインターフェース機能を支援するデジタル通信装置の構成図である。
【図３】本発明の一実施例によるインターフェース変換装置の詳細構成図である。
【図４ａ】本発明の一実施例による１０Ｇモードのためのスキューチャンネルの生成方法を説明するためのタイミング図である。
【図４ｂ】本発明の一実施例による４０Ｇモードのためのスキューチャンネルの生成方法を説明するためのタイミング図である。
【図５ａ】本発明の一実施例による１０Ｇモードのための整列信号の生成方法を説明するためのタイミング図である。
【図５ｂ】本発明の一実施例による４０Ｇモードのための整列信号の生成方法を説明するためのタイミング図である。
【図６】本発明の一実施例によるインターフェース変換動作を説明するためのフローチャット図である。
【図１】
2008148302.tif 000003
【図２】
2008148302.tif 000004
【図３】
2008148302.tif 000005
【図４ａ】
2008148302.tif 000006
【図４ｂ】
2008148302.tif 000007
【図５ａ】
2008148302.tif 000008
【図５ｂ】
2008148302.tif 000009
【図６】
2008148302.tif 000010